(57)【要約】【課題】  河川、海岸、湖沼などの法面を保護することでき、また、魚介類や陸生小動物の生態環境を改善するとともに、法面の植生を増殖させる護岸ブロックを提供する。【解決手段】護岸ブロック１は、上方より見て長方形状の平板状本体部２と、平板状本体部２の上面の前端縁に一体に立設された前壁部３１と、平板状本体部２の上面の左右各端縁近傍において、その後端縁から前壁部にかけて一体に立設された左右の側壁部３２，３３と、から構成される。そして、平板状本体部２の隣接する二つの側端面に係合凸部２ａが形成される一方、隣接する他の二つの側端面に係合凸部２ａと係合可能な係合凹部２ｂが形成され、また、左右各側壁部３２，３３の上面は、平板状本体部２の上面に対して一定角度傾斜して、前壁部３１の上面に連続するように形成され、さらに、前壁部３１および左右各側壁部３２，３３には、それぞれ連通穴３１ａ，３２ａ，３３ａが形成される。【選択図】  図２
2005256550.tif 000002
【特許請求の範囲】
【請求項１】
上方より見て長方形状の平板状本体部と、平板状本体部の上面の前端縁に一体に立設された前壁部と、平板状本体部の上面の左右各端縁近傍において、その後端縁から前壁部にかけて一体に立設された左右の側壁部と、からなり、平板状本体部の隣接する二つの側端面に係合凸部が形成されるとともに、隣接する他の二つの側端面に係合凸部と係合可能な係合凹部が形成され、また、左右各側壁部の上面は、平板状本体部の上面に対して一定角度傾斜して、前壁部の上面に連続するように形成され、さらに、前壁部および左右各側壁部には、それぞれ１個もしくは複数個の連通穴が形成されていることを特徴とする護岸ブロック。
【請求項２】
前記平板状本体部の縦寸法および厚みが、上方より見て正方形状であって、隣接する二つの側端面に係合凸部が形成されるとともに、隣接する他の二つの側端面に係合凹部が形成された平板状ブロック体からなる張りブロックにおける平板状ブロック体の縦寸法および厚みと等しく、かつ、その横寸法が張りブロックにおける平板状ブロック体の横寸法の整数倍であり、さらに、平板状本体部の各係合凸部が張りブロックにおける平板状ブロック体の各係合凹部と係合可能であり、また、平板状本体部の各係合凹部が張りブロックにおける平板状ブロック体の各係合凸部と係合可能であることを特徴とする請求項１記載の護岸ブロック。
【請求項３】
法面の最下段の左右一端から他端にかけて、請求項２記載の護岸ブロックが敷設される一方、その上段から最上段にわたる各段の左右一端から他端にかけて、上方より見て正方形状であって、隣接する二つの側端面に係合凸部が形成されるとともに、隣接する他の二つの側端面に係合凹部が形成された平板状ブロック体からなる張りブロックおよび前記護岸ブロックが、複数個の張りブロックをおいて１個の護岸ブロックが位置するように、敷設され、また、平常水位以下の護岸ブロックに栗石が充填されるとともに、平常水位より上方の護岸ブロックに土砂が充填されていることを特徴とする護岸構造。
【請求項４】
法面の最下段の左右一端から他端にかけて、請求項２記載の護岸ブロックが敷設される一方、その上段の左右一端から他端にかけて、または、その上段を含む複数段にわたる各段の左右一端から他端にかけて、上方より見て正方形状であって、隣接する二つの側端面に係合凸部が形成されるとともに、隣接する他の二つの側端面に係合凹部が形成された平板状ブロック体からなる張りブロックおよび前記護岸ブロックが、複数個の張りブロックをおいて１個の護岸ブロックが位置するように、敷設され、さらに、その上方段から最上段にわたる各段の左右一端から他端にかけて、前記張りブロックが敷設され、また、平常水位以下の護岸ブロックに栗石が充填されるとともに、平常水位より上方の護岸ブロックに土砂が充填されていることを特徴とする護岸構造。
【請求項５】
前記法面の最上段に敷設された張りブロックが、平板状ブロック体の上面の一端縁にステップが形成された張りブロックであり、その下段またはその下段を含む複数段の各段に敷設された張りブロックの一部が、平板状ブロック体の上面の一端縁にステップが形成された張りブロックであって、複数個の張りブロックをおいて敷設されていることを特徴とする請求項３または４記載の護岸構造。
【請求項６】
法面の基礎工を施工した後、請求項２記載の護岸ブロックを最下段の基礎工の左右一端から他端にかけて、左右方向に対向する左右各側端面の係合凸部と係合凹部を係合させて順に据え付け、次いで、その上段から最上段にわたる各段の基礎工の左右一端から他端にかけて、上方より見て正方形状であって、隣接する二つの側端面に係合凸部が形成されるとともに、隣接する他の二つの側端面に係合凹部が形成された平板状ブロック体からなる張りブロックおよび前記護岸ブロックを、複数個の張りブロックをおいて１個の護岸ブロックが位置するように、左右方向に対向する左右各側端面の係合凸部と係合凹部を係合させるとともに、前後方向に対向する前後各側端面の係合凸部と係合凹部を係合させて、かつ、隣接する一対の張りブロックの突き合わせ部または隣接する張りブロックと護岸ブロックとの突き合わせ部が最下段の隣接する一対の護岸ブロックの突き合わせ部またはその下段の隣接する護岸ブロックと張りブロックとの突き合わせ部もしくは隣接する一対の張りブロックの突き合わせ部と連続しないように、順に据え付けた後、平常水位以下の護岸ブロックに栗石を充填するとともに、平常水位より上方の護岸ブロックに土砂を充填することを特徴とする護岸の構築方法。
【請求項７】
法面の基礎工を施工した後、請求項２記載の護岸ブロックを最下段の基礎工の左右一端から他端にかけて、左右方向に対向する左右各側端面の係合凸部と係合凹部を係合させて順に据え付け、次いで、その上段の基礎工の左右一端から他端にかけて、または、その上段を含む複数段にわたる各段の基礎工の左右一端から他端にかけて、上方より見て正方形状であって、隣接する二つの側端面に係合凸部が形成されるとともに、隣接する他の二つの側端面に係合凹部が形成された平板状ブロック体からなる張りブロックおよび前記護岸ブロックを、複数個の張りブロックをおいて１個の護岸ブロックが位置するように、左右方向に対向する左右各側端面の係合凸部と係合凹部を係合させるとともに、前後方向に対向する前後各側端面の係合凸部と係合凹部を係合させて、かつ、隣接する一対の張りブロックの突き合わせ部または隣接する張りブロックと護岸ブロックとの突き合わせ部が最下段の隣接する一対の護岸ブロックの突き合わせ部またはその下段の隣接する護岸ブロックと張りブロックとの突き合わせ部もしくは隣接する一対の張りブロックの突き合わせ部と連続しないように、順に据え付けた後、その上方段から最上段にわたる各段の基礎工の左右一端から他端にかけて、前記張りブロックを左右方向に対向する左右各側端面の係合凸部と係合凹部を係合させるとともに、前後方向に対向する前後各側端面の係合凸部と係合凹部を係合させて、かつ、隣接する一対の張りブロックの突き合わせ部がその下段の隣接する護岸ブロックと張りブロックとの突き合わせ部または隣接する一対の張りブロックの突き合わせ部と連続しないように、順に据え付けた後、平常水位以下の護岸ブロックに栗石を充填するとともに、平常水位より上方の護岸ブロックに土砂を充填することを特徴とする護岸の構築方法。
【発明の詳細な説明】
【技術分野】
【０００１】
この発明は、河川、海岸、湖沼などの法面を保護する護岸ブロックおよび護岸構造ならびに護岸の構築方法に関するものである。
【背景技術】
【０００２】
従来より、河川、海岸、湖沼などの水辺の法面を水による浸食や崩壊から守るため、コンクリート製の張りブロックが広く採用されている。この張りブロック１０は、図１３に示すように、上方より見て正方形状の平板状ブロック体１１からなり、隣接する二つの側端面に係合凸部１１ａが形成されるとともに、隣接する他の二つの側端面に係合凸部１１ａに係合可能な係合凹部１１ｂが形成されて構成されている。
【０００３】
このような張りブロック１０によって河川や湖沼、海岸などの水辺の法面を保護する場合は、法面の最下段において、左右方向に対向する左右各側端面の係合凸部１１ａと係合凹部１１ｂを係合させて張りブロック１０を一端から他端にかけて順に据え付けた後、以下同様に、その上段から最上段にわたる各段において、左右方向に対向する左右各側端面の係合凸部１１ａと係合凹部１１ｂを係合させるとともに、前後方向に対向する前後各側端面の係合凸部１１ａと係合凹部１１ｂを係合させて張りブロック１０を一端から他端にかけて順に据え付けるものである。
【０００４】
なお、張りブロック１０を敷設する場合、隣接する一対の張りブロック１０，１０の突き合わせ部がその下段の隣接する一対の張りブロック１０，１０の突き合わせ部と連続しないように、張りブロック１０を半ピッチずつずらした状態で敷設するようにしている。
【０００５】
この張りブロック１０は、人々を水辺に誘うことができるように、上面に凹部が形成されているが、法面の勾配によっては歩行が困難となり、人命救助作業などを安全に行うことができないという欠点がある。このため、図１４に示すように、前述した張りブロック１０の平板状ブロック体１１と同一の平板状ブロック体１１の上面の一端縁に足をかけるためのステップ１２を設けて、歩行や人命救助作業などを安全に行うことができる張りブロック１０Ａも知られている（例えば、特許文献１参照）。
【０００６】
しかしながら、このような張りブロック１０，１０Ａは、水辺の法面を保護する護岸機能や、人々を水辺に誘う歩行機能を有しているものの、表面がほぼ平滑に形成されており、魚介類の生態環境を改善したり、植栽を施すことはできない。
【０００７】
このため、前面および左右両側面に開口した空洞部を有する箱状のブロックからなり、法面に沿って最下段から最上段にかけて敷設した際、皿状凹部を形成した上面が階段の踏面を形成する護岸ブロックが提案されている（例えば、特許文献２参照）。
【０００８】
この護岸ブロックによれば、空洞部に玉石を配設することにより、魚介類の生息環境あるいは陸生小動物の営倉に有効な空間を形成することができ、また、皿状凹部に排水口を形成して土砂を充填することにより、植栽を施すことができるものとなる。
【特許文献１】特開平６−３４１１２５号公報
【特許文献２】特開平１０−１２１４３７号公報
【発明の開示】
【発明が解決しようとする課題】
【０００９】
ところで、前述した護岸ブロックにおいては、法面を保護する機能の他、魚介類の生態環境を改善する機能や、法面の植生を増殖させる機能など、多面的な機能を有するものの、次のような問題がある。
【００１０】
まず、上面に形成された皿状凹部に土砂を投入することにより、護岸ブロックに植栽を施すようにしているが、空洞部に影響を与えない程度の浅い深さの皿状凹部とせざるを得ず、植生が限定されるばかりか、土砂を保持する機能が少なく、風雨などによって流出し易い。また、底面と上面とのなす角度は一定であることから、法面の勾配が変化すると、階段の踏面となる上面が必ずしも水平面にならず、上面を階段歩行する際、違和感が発生し、安全性に難がある。しかも、その際には、土砂が傾斜した皿状凹部の一部に偏在することになり、ますます植物の生育が困難になる。
【００１１】
また、空洞部は正面および左右両側面に開口されているが、護岸ブロックを左右方向に連続して敷設した場合、左右各側面が隣接する護岸ブロックの左右各側面と面接合されることから、左右各側面に形成された空洞部の開口は閉鎖される。このため、空洞部は、側面方向に連通するものの、魚介類や陸生小動物の出入りは、正面の開口を通してのみ行われることとなり、単調となる。
【００１２】
さらに、これまで広く採用されてきた張りブロックとの整合性がなく、法面全体にわたって護岸ブロックを敷設する必要があり、コストがかさむものとなる。
【００１３】
本発明は、このような問題点に鑑みてなされたもので、河川、海岸、湖沼などの法面を保護することでき、また、魚介類や陸生小動物の生態環境を改善するとともに、法面の植生を増殖させることができる護岸ブロックおよび護岸構造ならびに護岸の構築方法を提供するものである。
【課題を解決するための手段】
【００１４】
本発明の護岸ブロックは、上方より見て長方形状の平板状本体部と、平板状本体部の上面の前端縁に一体に立設された前壁部と、平板状本体部の上面の左右各端縁近傍において、その後端縁から前壁部にかけて一体に立設された左右の側壁部と、からなり、平板状本体部の隣接する二つの側端面に係合凸部が形成されるとともに、隣接する他の二つの側端面に係合凸部と係合可能な係合凹部が形成され、また、左右各側壁部の上面は、平板状本体部の上面に対して一定角度傾斜して、前壁部の上面に連続するように形成され、さらに、前壁部および左右各側壁部には、それぞれ１個もしくは複数個の連通穴が形成されていることを特徴とするものである。
【００１５】
本発明によれば、平板状本体部によって法面を保護することができる。この場合、隣接する平板状本体部は、左右方向や上下方向において係合凸部と係合凹部とが係合し、結束力に優れた護岸を形成することができる。また、平板状本体部の上面に、前壁部および左右の側壁部によって断面略直角三角形状の空間が形成され、該空間に栗石や土砂などの中詰材を充填して平場を形成することができる。しかも、充填された中詰材は安定した状態に維持されるため、人間の滑落が防止され、安全性に優れる。さらに、栗石によって形成される隙間や空間が魚介類や陸生小動物の生息空間や、外敵からの隠れ家、産卵場所となる。この際、前壁部および左右の側壁部には、それぞれ連通穴が形成されていることから、水流は、正面方向および側面方向に移動する一方、魚介類や陸生小動物は、正面方向および側面方向から自由に出入りすることができる。なお、連通穴の大きさは栗石が流出しない大きさに設定される。また、充填された土砂を利用して植栽を施すことができ、水辺の景観を改善することができる。この際、前壁部および左右の側壁部その内面側には、吸出し防止材が配設されることにより、連通穴を通して土砂が流出することが防止される。
【００１６】
本発明において、前記平板状本体部の縦寸法および厚みが、上方より見て正方形状であって、隣接する二つの側端面に係合凸部が形成されるとともに、隣接する他の二つの側端面に係合凹部が形成された平板状ブロック体からなる張りブロックにおける平板状ブロック体の縦寸法および厚みと等しく、かつ、その横寸法が張りブロックにおける平板状ブロック体の横寸法の整数倍であり、さらに、平板状本体部の各係合凸部が張りブロックにおける平板状ブロック体の各係合凹部と係合可能であり、また、平板状本体部の各係合凹部が張りブロックにおける平板状ブロック体の各係合凸部と係合可能であると、水面位置や使用目的、経済性を考慮して、これまで法面の保護に広く採用されてきた張りブロックと護岸ブロックを任意に配置して法面を保護することができる。しかも、隣接する護岸ブロックおよび張りブロックは、左右方向や上下方向において係合凸部と係合凹部とが係合し、結束力に優れた護岸を形成することができる。
【００１７】
本発明の護岸構造は、法面の最下段の左右一端から他端にかけて、請求項２記載の護岸ブロックが敷設される一方、その上段から最上段にわたる各段の左右一端から他端にかけて、上方より見て正方形状であって、隣接する二つの側端面に係合凸部が形成されるとともに、隣接する他の二つの側端面に係合凹部が形成された平板状ブロック体からなる張りブロックおよび前記護岸ブロックが、複数個の張りブロックをおいて１個の護岸ブロックが位置するように、敷設され、また、平常水位以下の護岸ブロックに栗石が充填されるとともに、平常水位より上方の護岸ブロックに土砂が充填されていることを特徴とするものである。
【００１８】
本発明によれば、張りブロックと護岸ブロックを併用して、河川、海岸、湖沼などの法面を保護することができる。この際、隣接する護岸ブロックおよび張りブロックは、左右方向および上下方向においてそれぞれ係合凸部と係合凹部とが係合し、結束力に優れた護岸を形成することができる。しかも、護岸ブロックが配置された箇所において、魚介類や陸生小動物の生態環境を改善するとともに、法面の植生を増殖させることができる。
【００１９】
本発明の護岸構造は、法面の最下段の左右一端から他端にかけて、請求項２記載の護岸ブロックが敷設される一方、その上段の左右一端から他端にかけて、または、その上段を含む複数段にわたる各段の左右一端から他端にかけて、上方より見て正方形状であって、隣接する二つの側端面に係合凸部が形成されるとともに、隣接する他の二つの側端面に係合凹部が形成された平板状ブロック体からなる張りブロックおよび前記護岸ブロックが、複数個の張りブロックをおいて１個の護岸ブロックが位置するように、敷設され、さらに、その上方段から最上段にわたる各段の左右一端から他端にかけて、前記張りブロックが敷設され、また、平常水位以下の護岸ブロックに栗石が充填されるとともに、平常水位より上方の護岸ブロックに土砂が充填されていることを特徴とするものである。
【００２０】
本発明によれば、張りブロックと護岸ブロックを併用して、河川、海岸、湖沼などの法面を保護することができる。この際、隣接する護岸ブロックおよび張りブロックは、左右方向および上下方向においてそれぞれ係合凸部と係合凹部とが係合し、結束力に優れた護岸を形成することができる。しかも、護岸ブロックが配置された箇所において、魚介類や陸生小動物の生態環境を改善するとともに、法面の植生を増殖させることができる。
【００２１】
本発明において、前記法面の最上段に敷設された張りブロックが、平板状ブロック体の上面の一端縁にステップが形成された張りブロックであり、その下段またはその下段を含む複数段の各段に敷設された張りブロックの一部が、平板状ブロック体の上面の一端縁にステップが形成された張りブロックであって、複数個の張りブロックをおいて敷設されていると、張りブロックのステップおよび護岸ブロックを利用して水辺まで容易に到達することができる。
【００２２】
この場合、ステップを有する張りブロックが、最上段から土砂が充填された護岸ブロックに向けて斜め方向に連続するように配置されるか、土砂が充填された護岸ブロックが斜め方向に連続するように配置される。
【００２３】
本発明の護岸の構築方法は、法面の基礎工を施工した後、請求項２記載の護岸ブロックを最下段の基礎工の左右一端から他端にかけて、左右方向に対向する左右各側端面の係合凸部と係合凹部を係合させて順に据え付け、次いで、その上段から最上段にわたる各段の基礎工の左右一端から他端にかけて、上方より見て正方形状であって、隣接する二つの側端面に係合凸部が形成されるとともに、隣接する他の二つの側端面に係合凹部が形成された平板状ブロック体からなる張りブロックおよび前記護岸ブロックを、複数個の張りブロックをおいて１個の護岸ブロックが位置するように、左右方向に対向する左右各側端面の係合凸部と係合凹部を係合させるとともに、前後方向に対向する前後各側端面の係合凸部と係合凹部を係合させて、かつ、隣接する一対の張りブロックの突き合わせ部または隣接する張りブロックと護岸ブロックとの突き合わせ部が最下段の隣接する一対の護岸ブロックの突き合わせ部またはその下段の隣接する護岸ブロックと張りブロックとの突き合わせ部もしくは隣接する一対の張りブロックの突き合わせ部と連続しないように、順に据え付けた後、平常水位以下の護岸ブロックに栗石を充填するとともに、平常水位より上方の護岸ブロックに土砂を充填することを特徴とするものである。
【００２４】
本発明によれば、河川、海岸、湖沼などの法面を保護する護岸機能の他、魚介類や陸生小動物の生態環境を改善するとともに、法面の植生を増殖させる環境保全機能を備えた護岸を構築することができる。
【００２５】
本発明の護岸の構築方法は、法面の基礎工を施工した後、請求項２記載の護岸ブロックを最下段の基礎工の左右一端から他端にかけて、左右方向に対向する左右各側端面の係合凸部と係合凹部を係合させて順に据え付け、次いで、その上段の基礎工の左右一端から他端にかけて、または、その上段を含む複数段にわたる各段の基礎工の左右一端から他端にかけて、上方より見て正方形状であって、隣接する二つの側端面に係合凸部が形成されるとともに、隣接する他の二つの側端面に係合凹部が形成された平板状ブロック体からなる張りブロックおよび前記護岸ブロックを、複数個の張りブロックをおいて１個の護岸ブロックが位置するように、左右方向に対向する左右各側端面の係合凸部と係合凹部を係合させるとともに、前後方向に対向する前後各側端面の係合凸部と係合凹部を係合させて、かつ、隣接する一対の張りブロックの突き合わせ部または隣接する張りブロックと護岸ブロックとの突き合わせ部が最下段の隣接する一対の護岸ブロックの突き合わせ部またはその下段の隣接する護岸ブロックと張りブロックとの突き合わせ部もしくは隣接する一対の張りブロックの突き合わせ部と連続しないように、順に据え付けた後、その上方段から最上段にわたる各段の基礎工の左右一端から他端にかけて、前記張りブロックを左右方向に対向する左右各側端面の係合凸部と係合凹部を係合させるとともに、前後方向に対向する前後各側端面の係合凸部と係合凹部を係合させて、かつ、隣接する一対の張りブロックの突き合わせ部がその下段の隣接する護岸ブロックと張りブロックとの突き合わせ部または隣接する一対の張りブロックの突き合わせ部と連続しないように、順に据え付けた後、平常水位以下の護岸ブロックに栗石を充填するとともに、平常水位より上方の護岸ブロックに土砂を充填することを特徴とするものである。
【００２６】
本発明によれば、河川、海岸、湖沼などの法面を保護する護岸機能の他、魚介類や陸生小動物の生態環境を改善するとともに、法面の植生を増殖させる環境保全機能を備えた護岸を構築することができる。
【発明の効果】
【００２７】
本発明によれば、河川、海岸、湖沼などの法面を保護することができ、また、魚介類や陸生小動物の生態環境を改善するとともに、法面の植生を増殖させることができる。
【発明を実施するための最良の形態】
【００２８】
以下、本発明の実施の形態を図面に基づいて説明する。
【００２９】
図１乃至図３には、本発明の護岸ブロック１の一実施形態が示されている。
【００３０】
この護岸ブロック１は、上方より見て長方形状の平板状本体部２と、該平板状本体部２における上面の前端縁および左右各端縁近傍にそれぞれ平板状本体部２と一体に立設された周壁部３と、から構成されている。
【００３１】
平板状本体部２は、コンクリートから形成され、上面の周縁に額縁部２１が形成されて中央部分が皿状に凹陥されている。そして、平板状本体部２の隣接する二つの側端面には、係合凸部２ａが形成され、また、隣接する他の二つの側端面には、係合凹部２ｂが形成されている。
【００３２】
具体的には、図１に示す護岸ブロック１においては、平板状本体部２の左側端面および後側端面にそれぞれ係合凸部２ａが形成され、その右側端面および前側端面にそれぞれ係合凹部２ｂが形成されている。したがって、左右方向に護岸ブロック１，１を設置した際、右方の護岸ブロック１の左側端面に形成された係合凸部２ａと、左方の護岸ブロック１の右側端面に形成された係合凹部２ｂとが係合し、それらの護岸ブロック１，１における平板状本体部２，２が面一に連続する。また、上下方向に護岸ブロック１，１を設置した際、下方の護岸ブロック１の後側端面に形成された係合凸部２ａと、上方の護岸ブロック１の前側端面に形成された係合凹部２ｂとが係合し、それらの護岸ブロック１，１における平板状本体部２，２が面一に連続する。
【００３３】
なお、護岸ブロック１の平板状本体部２の大きさは、前述した張りブロック１０，１０Ａの大きさに合わせて設定されている。具体的には、護岸ブロック１の平板状本体部２の縦寸法および厚みは、張りブロック１０，１０Ａにおける平板状ブロック体１１の縦寸法および厚みと一致し、その横寸法は、張りブロック１０，１０Ａにおける平板状ブロック体１１の横寸法の整数倍、例えば、２倍に設定されている。
【００３４】
また、護岸ブロック１の係合凸部２ａは張りブロック１０，１０Ａの係合凹部１１ｂと係合可能であり、護岸ブロック１の係合凹部２ｂは張りブロック１０，１０Ａの係合凸部１１ａと係合可能となっている。
【００３５】
一方、周壁部３は、ポーラスコンクリートから形成され、平板状本体部２の上面の前端縁側に立設された前壁部３１と、その左右各端縁側にそれぞれ立設された左側壁部３２および右側壁部３３と、からなり、上方より見て上辺が開放されたコ字状に形成されている。
【００３６】
前壁部３１は、外面が平板状本体部２における前側の額縁部２１の外端縁に沿って立ち上げられるとともに、内面が前側の額縁部２１の内端縁に沿って立ち上げられ、かつ、左右各外面が平板状本体部２の左端縁および右端縁からそれぞれ若干距離をおいて左右の額縁部２１の途中位置から立ち上げられている。一方、左側壁部３２および右側壁部３３は、各外面が前壁部３１の左右各外面に連続するように、それぞれ平板状本体部２の左端縁および右端縁から若干距離をおいて左右の額縁部２１の途中位置から立ち上げられるとともに、各内面がそれぞれ左側および右側の額縁部２１の各内端縁に沿って立ち上げられている。また、左側壁部３２および右側壁部３３は、その上面が平板状本体部２の後端縁から前壁部３１の上面に連続するように、平板状本体部２の上面に対して一定角度の傾斜面に形成されている。さらに、前壁部３１には、断面略アーチ状であって、内面側から外面側に向かって末広がりとなる３個のテーパー状の連通穴３１ａが形成されている。同様に、左側壁部３２および右側壁部３２にも、断面略アーチ状であって、内面側から外面側に向かって末広がりとなる１個のテーパー状の連通穴３２ａ，３３ａがそれぞれ形成されている。
【００３７】
この場合、前壁部３１に形成された連通穴３１ａおよび左右各側壁部３２，３３に形成された連通穴３２ａ，３３ａは、後述する栗石１０３が流出しない程度の大きさに設定されている。
【００３８】
なお、この護岸ブロック１の実施形態においては、平板状本体部２の左側端面に係合凸部２ａが形成され、その右側端面に係合凹部２ｂが形成された場合を例示したが、平板状本体部２の右側端面に係合凸部２ａが形成され、その左側端面に係合凹部２ｂが形成されてもかまわない。
【００３９】
次に、このように構成された護岸ブロック１を、張りブロック１０，１０Ａとともに用いて護岸を形成する施工手順について図４乃至図８に基づいて説明する。
【００４０】
まず、護岸を形成する法面の直下の基礎砕石１００上に基礎コンクリート１０１を設置する（図１０参照）とともに、法面に裏込め砕石１０２を敷き均し、基礎工を施工する。
【００４１】
なお、土の性状によっては、裏込め砕石１０２を敷設する前に遮水シートを張設する。
【００４２】
次いで、基礎工の右端に護岸ブロック１を据え付けた後（図４参照）、その左方に護岸ブロック１を後側端面および前側端面が面一に連続するように、据え付ける。この際、右方の護岸ブロック１の左側端面に形成された係合凸部２ａに、左方の護岸ブロック１の右側端面に形成された係合凹部２ｂを係合させる。以下同様に、法面の左端に向かって順に護岸ブロック１を据え付けて、基礎工が施工された法面の最下段に右端から左端にかけて護岸ブロック１を据え付ける（図５参照）。
【００４３】
この後、次段の基礎工の右端に張りブロック１０を据え付ける。この際、最下段の護岸ブロック１の後側端面に形成された係合凸部２ａに、張りブロック１０の前側端面に形成された係合凹部１１ａを係合させる。また、敷設した張りブロック１０の左右各端縁が最下段の隣接する一対の護岸ブロック１，１の突き合わせ部と重ならないように、張りブロック１０の横寸法の半分だけ左右方向にずらして張りブロック１０を敷設する。次いで、先に敷設した張りブロック１０の左方に張りブロック１０を配置し、右方の張りブロック１０の左側端面に形成された係合凸部１１ａに、左方の張りブロック１０の右側端面に形成された係合凹部１１ｂを係合させるとともに、最下段の護岸ブロック１の後側端面に形成された係合凸部２ａに、張りブロック１０の前側端面に形成された係合凹部１１ｂを係合させ、据え付ける。同様にして、複数個の張りブロック１０を順に左方に向けて敷設する。設定個数の張りブロック１０を据え付けたならば、再び護岸ブロック１を据え付ける。すなわち、先に敷設した張りブロック１０の左方に護岸ブロック１を配置し、張りブロック１０の左側端面に形成された係合凸部１１ａに、護岸ブロック１の右側端面に形成された係合凹部２ｂを係合させるとともに、最下段の護岸ブロック１の後側端面に形成された係合凸部２ａに、護岸ブロック１の前側端面に形成された係合凹部２ｂを係合させ、据え付ける。以下同様に、設定個数の張りブロック１０をおいて１個の護岸ブロック１が位置するように、張りブロック１０および護岸ブロック１を左右方向に敷設する（図６参照）。
【００４４】
２段目の施工が完了したならば、３段目についても、同様に、設定個数の張りブロック１０をおいて１個の護岸ブロック１が位置するように、張りブロック１０および護岸ブロック１を左右方向に敷設する。
【００４５】
以下、その上段から最上段にわたる各段においては、張りブロック１０，１０Ａを法面の右端から左端にかけて順次敷設する。この際、張りブロック１０，１０Ａの右側端面の係合凹部１１ｂを、張りブロック１０，１０Ａの左側端面の係合凸部１１ａに係合させるとともに、前側端面の係合凹部１１ｂを、先にその下段に敷設された張りブロック１０，１０Ａの後側端面の係合凸部１１ａまたは護岸ブロック１の後側端面の係合凸部２ａに係合させて据え付ければよい（図７参照）。
【００４６】
この場合、法面の最上段には、図９に示すように、張りブロック１０Ａのみが敷設される。また、張りブロック１０Ａは、護岸ブロック１に向けて斜め方向に連続するように、各段に配置される。このため、最上段から斜め方向に水辺に至るステップ１２が形成され、張りブロック１０Ａのステップ１２を利用して、水辺の護岸ブロック１に到達することが可能となる。
【００４７】
このようにして最下段から最上段までの各段において、護岸ブロック１および張りブロック１０，１０Ａを順次敷設したならば、平常水位以下の護岸ブロック１、例えば、図８に示す最下段の護岸ブロック１およびその上段の護岸ブロック１において、前壁部３１および左右の側壁部３２，３３によって区画された空間に栗石１０３を充填する。一方、平常水位を越える護岸ブロック１、例えば、図８に示す最下段から３段目の護岸ブロック１において、前壁部３１および左右の側壁部３２，３３によって区画された空間に土砂１０４を充填することにより、図９および図１０に示すように、護岸を形成することができる。
【００４８】
この際、土砂１０４を充填するに先立って、前壁部３１および左右の側壁部３２，３３の内面側には、吸出し防止材（図示せず）が配設され、連通穴３１ａ，３２ａ，３３ａを通して土砂１０４が流出することが防止される。
【００４９】
このような護岸によれば、護岸ブロック１に栗石１０３や土砂１０４を充填して平場を形成することができるとともに、充填された栗石１０３や土砂１０４は安定した状態に維持される。このため、人間の滑落を防止して、安全に水辺に誘うことができる。また、平常水位以下の護岸ブロック１に充填された栗石１０３によって形成される隙間や空間が魚介類や陸生小動物の生息空間や、外敵からの隠れ家、産卵場所となる。この際、前壁部３１および左右の側壁部３２，３３には、それぞれ連通穴３１ａ、３２ａ、３３ａが形成されていることから、水流は、正面方向および側面方向に移動する一方、魚介類や陸生小動物は、正面方向および側面方向から自由に出入りすることができる。また、充填された土砂１０４を利用して植栽を施すことができ、水辺の景観を改善することができる。
【００５０】
なお、詳細には説明しないが、図１２に示すように、最下段に護岸ブロック１を敷設した後、その上段から最上段にわたる各段において、設定個数の張りブロック１０をおいて１個の護岸ブロック１が位置するように、張りブロック１０および護岸ブロック１を左右方向に敷設して、護岸を形成することもできる。
【００５１】
この場合、護岸ブロック１は、斜め方向に連続するように配置される。このように護岸ブロック１を配置すると、護岸ブロック１に充填される土砂などの平場を利用して安全に水辺に到達することが可能となる。
【００５２】
また、法面の最上段には、張りブロック１０に代えて、ステップ１２を有する張りブロック１０Ａのみが敷設される点は、先に説明した護岸と同様である。
【産業上の利用可能性】
【００５３】
以上のように本発明によれば、河川、海岸、湖沼などの法面を保護する護岸機能の他、魚介類や陸生小動物の生態環境を改善するとともに、法面の植生を増殖させることができる環境保全機能を備えることにより、河川、海岸、湖沼などの水辺や法面を自然な環境に変更し、その環境を保全することが可能となる。
【図面の簡単な説明】
【００５４】
【図１】本発明の護岸ブロックの一実施形態を示す平面図、正面図および側面図である。
【図２】図１の護岸ブロックの斜視図である。
【図３】図１の護岸ブロックの縦断面図である。
【図４】本発明の護岸を構築する手順を説明する工程図である。
【図５】本発明の護岸を構築する手順を説明する工程図である。
【図６】本発明の護岸を構築する手順を説明する工程図である。
【図７】本発明の護岸を構築する手順を説明する工程図である。
【図８】本発明の護岸を構築する手順を説明する工程図である。
【図９】本発明の護岸の一実施形態を示す正面図である。
【図１０】図９の護岸を説明する縦断面図である。
【図１１】環境保全機能を備えた状態の護岸を図１０に対応して説明する縦断面図である。
【図１２】本発明の護岸の他の実施形態を示す正面図である。
【図１３】従来公知の張りブロックを示す斜視図および縦断面図である。
【図１４】従来公知のステップを有する張りブロックを示す斜視図および縦断面図である。
【符号の説明】
【００５５】
１  護岸ブロック
２  平板上本体部
２ａ  係合凸部
２ｂ  係合凹部
３  周壁部
３１  前壁部
３２  左側壁部
３３  右側壁部
３１ａ，３２ａ，３３ａ  連通穴
１０，１０Ａ  張りブロック
１００  基礎砕石
１０１  基礎コンクリート
１０２  裏込め砕石
１０３  栗石
１０４  土砂
【図１】
2005256550.tif 000003
【図２】
2005256550.tif 000004
【図３】
2005256550.tif 000005
【図４】
2005256550.tif 000006
【図５】
2005256550.tif 000007
【図６】
2005256550.tif 000008
【図７】
2005256550.tif 000009
【図８】
2005256550.tif 000010
【図９】
2005256550.tif 000011
【図１０】
2005256550.tif 000012
【図１１】
2005256550.tif 000013
【図１２】
2005256550.tif 000014
【図１３】
2005256550.tif 000015
【図１４】
2005256550.tif 000016